(57)【特許請求の範囲】
【請求項１】
食品容器本体と、該食品容器本体の上部開口に取り付けられる内蓋と、該内蓋の上側に被せる外蓋からなる食品容器において、
前記外蓋内側の前記内蓋上面と相対する下面に第一の突き当て用突起を下向きに突設し、
前記外蓋は、前記第一の突き当て用突起を前記内蓋の側面部と相対する位置まで延長形成させた第二の突き当て用突起を有し、この第二の突き当て用突起は前記外蓋内側の前記内蓋の前記側面部と相対する前記外蓋側面部に形成され、
前記内蓋の上面には、縁部を残して該内蓋の中央部側を窪ませた凹部を形成し、
前記外蓋の閉蓋状態において、前記第一の突き当て用突起は前記縁部の上面に載置され、前記第二の突き当て用突起は前記内蓋の前記側面部に当接することを特徴とする食品容器。
【請求項２】
前記第一及び第二の突き当て用突起は、前記外蓋内側の対角、又は対称な位置に配置されていることを特徴とする請求項１記載の食品容器。
【請求項３】
前記第一及び第二の突き当て用突起は、前記外蓋の中心軸線を中心とした円周上に等間隔に配置されていることを特徴とする請求項１記載の食品容器。
【請求項４】
前記第一及び第二の突き当て用突起は、前記外蓋に接続される基端側幅より、前記内蓋上面、前記内蓋側面部側に位置する先端側幅を小さく形成することを特徴とする請求項１記載の食品容器。
【請求項５】
前記外蓋上面には、上段の食品容器本体の載置用リブが複数間隔をおいて形成されていることを特徴とする請求項１〜４のいずれか１項に記載の食品容器。
【発明の詳細な説明】
【技術分野】
【０００１】
本発明は、弁当箱などの食品容器に関するものである。
【背景技術】
【０００２】
従来、食品容器本体と、該食品容器本体の上部開口に取り付けられる内蓋と、該内蓋の上側に被せる外蓋からなり、内蓋の中央に保冷剤又は保温剤を収容するための凹部を設けた弁当箱が知られている。
【０００３】
このような弁当箱では、内蓋の中央側を窪ませた凹部で保冷剤又は保温剤のスペースを確保することで、弁当箱と保冷剤又は保温剤を一緒にしたときに生じる保冷剤又は保温剤の不安定感がなく、また弁当箱を数段重ねて使用することが可能になる。
【先行技術文献】
【特許文献】
【０００４】
【特許文献１】実用新案登録第３１６２２１４号公報
【発明の概要】
【発明が解決しようとする課題】
【０００５】
従来技術のように、内蓋を窪ませただけでは、食品容器の食材スペースを圧迫してしまい、また、保冷剤又は保温剤が入るスペースが狭く、ソフトタイプの保冷剤において、保冷剤が偏って厚みが増した状態で凍結した場合、保冷剤の上に外蓋が載るため外蓋ががたついてしまう。さらに、食品容器を数段重ねた場合には、重なりが不安定になってしまう。
【０００６】
解決しようとする問題点は、食品容器内の食材スペースを圧迫することなく、保冷剤又は保温剤を入れるスペースを確保でき、さらに例えばソフトタイプの保冷剤が偏って凍結した場合でも、外蓋が浮き上がってがたつくことがないような弁当箱などの食品容器を提供する点である。
【課題を解決するための手段】
【０００７】
請求項１の発明は、食品容器本体と、該食品容器本体の上部開口に取り付けられる内蓋と、該内蓋の上側に被せる外蓋からなる食品容器において、前記外蓋内側の前記内蓋上面と相対する下面に第一の突き当て用突起を下向きに突設し、前記外蓋は、前記第一の突き当て用突起を前記内蓋の側面部と相対する位置まで延長形成させた第二の突き当て用突起を有し、この第二の突き当て用突起は前記外蓋内側の前記内蓋の前記側面部と相対する前記外蓋側面部に形成され、前記内蓋の上面には、縁部を残して該内蓋の中央部側を窪ませた凹部を形成し、前記外蓋の閉蓋状態において、前記第一の突き当て用突起は前記縁部の上面に載置され、前記第二の突き当て用突起は前記内蓋の前記側面部に当接することを特徴とする食品容器である。
【０００８】
請求項２の発明においては、前記第一及び第二の突き当て用突起は、前記外蓋内側の対角、又は対称な位置に配置されていることを特徴とする請求項１記載の食品容器である。
【０００９】
請求項３の発明においては、前記第一のリブは、前記外蓋の中心軸線を中心とした円周上に等間隔に配置されていることを特徴とする請求項４記載の食品容器である。
【００１０】
請求項４の発明においては、前記第一のリブは、前記外蓋に接続される基端側幅より、前記内蓋上面、前記内蓋側面部側に位置する先端側幅を小さく形成することを特徴とする請求項１記載の食品容器である。
【００１１】
請求項５の発明は、前記外蓋上面には、上段の食品容器本体の載置用リブが複数間隔をおいて形成されていることを特徴とする請求項１〜４のいずれか１項に記載の食品容器である。
【発明の効果】
【００１２】
請求項１の発明によれば、第一の突き当て用突起により外蓋が内蓋から離れて配置されることにより、食品容器内の食材スペースを圧迫することなく、保冷剤を入れるスペースを確保することができ、さらに第二の突き当て用突起により、外蓋が多少浮き上がったとしても容易に外れることはない。
【００１３】
請求項２の発明によれば、前記第一及び第二の突き当て用突起によって最小限の大きさで内蓋の上面と接触させることができる。
【００１４】
請求項３の発明によれば、前記第一及び第二の突き当て用突起によって等間隔に内蓋の上面と接触させることができる。
【００１５】
請求項４の発明によれば、前記第一及び第二の突き当て用突起の内蓋側への突き当たり状態を線接触のようにすることができる。
【００１６】
請求項５の発明によれば、食品容器の積み重ねにおいて垂直方向だけでなく、水平方向にも安定して積み重ねることができると共に、間隔によって水洗、乾燥時の水切りを良く行うことができる。
【図面の簡単な説明】
【００１７】
【図１】本発明の実施例１を示す分解斜視図である。
【図２】同断面図である。
【図３】同積み重ね状態の斜視図である。
【図４】同要部の断面図である。
【図５】本発明の実施例２を示す分解斜視図である。
【図６】本発明の実施例３を示す分解斜視図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図１〜４は実施例１を示しており、食品容器１の食材（図示せず）を収容する食品容器本体２は、平面視で四隅の第一の角３が丸い四角形をなした上部開口４を有する有底なものであり、例えばステンレス鋼等鋼、アルミニウムなど金属、或いはプラスチックにより形成されている。
【００２０】
上部開口４を閉蓋する内蓋５は、例えばシリコン樹脂のような比較的弾性に富む合成樹脂製であって、平面視で上部開口４よりやや広く四隅の第二の角６が丸い四角形をなした内蓋本体７を有しており、内蓋本体７の縁部７Ａには食品容器本体２の上部開口４の縁部４Ａに密着して外嵌合できるように下向きの内蓋５の側面部５Ａが形成されている。また、内蓋本体７の縁部７Ａを残して内蓋本体７の中央部側（食品容器１の中心軸線８側）を窪ませて平面視で四隅の第三の角９が丸い四角形をなした保冷剤10や保温剤を収容するための凹部11が形成されている。
【００２１】
内蓋５の上側に被せる外蓋12は、例えばステンレス鋼等鋼、アルミニウムなどの金属製、或いはプラスチック製であって、平面視で内蓋本体７よりやや広く四隅の第四の角13が丸い四角形をなした外蓋本体14を有しており、外蓋本体14の縁部14Ａには側面部５Ａと間隔Ｌを有するように遊嵌状に外嵌合する外蓋12の側面部12Ａが形成されている。
【００２２】
そして、外蓋本体14の下面14Ｂの内蓋本体７の上面７Ｂと対向する面に、第一の突き当て用突起である第一のリブ15を下向きに突設する。実施例では第一のリブ15は、その一方の長手方向を外蓋本体14の第四の角13から外蓋本体14の中心軸線８に向けて、外蓋本体14と一体に形成されており、この第一のリブ15は、内蓋本体７の上面７Ｂにおける縁部７Ａの全域でなく、中心軸線８と反対側となる外側のみに載置できるようになっている。
【００２３】
さらに、第一のリブ15の他方の長手方向は、外蓋12の側面部12Ａに沿って内蓋５の側面部５Ａと相対する位置まで第二の突き当て用突起である延長部16が延長形成されており、この延長部16は、実施例では第四の角13に沿って下方に向けて設けられている。このため、第一のリブ15は対角箇所に２番目のもの（15´）、さらに対称な箇所に３、４番目のもの（15´´，15´´´）の合計４箇所に配置されている。
【００２４】
延長部16を含む第一のリブ15の断面は、図４に示すように外蓋本体14に連結する基端側幅Ｍより、内蓋５の上面に載置したり、内蓋５の側面に突き当たる先端側幅Ｎは小さくなるように丸みをおびて先細に形成されたことで（Ｍ＞Ｎ）、第一のリブ15の先端が内蓋５に突き当たる状態は線接触に近い状態になる。さらに、第一のリブ15の延長部16の突き出し長さは間隔Ｌと同じか或いは間隔Ｌより大きく形成されている。
【００２５】
また、外蓋本体14の上面14Ｃには、上段の食品容器本体２´を係止できる上段の食品容器本体の載置用リブである第二のリブ17が形成されている。この第二のリブ17は、第四の角13の中心軸線８側となる内側に、第四の角13のみに沿うように平面視でＬ字形状に設けられることにより、複数の第二のリブ17は間隔Ｘ，Ｙを有し、隣接する第二のリブ17間は、外蓋本体14の上面14Ｃの高さのままとなっている。そして、この第二のリブ17に上段の食品容器本体２´の食品容器本体２の底面２Ａが嵌合できるようになっている。
【００２６】
次に前記構成についてその作用を説明する。開蓋状態の食品容器本体２に食材（図示せず）を収容する。次に上部開口４に内蓋５を嵌着して閉蓋する。そして、凹部11に袋入りの保冷剤10を収容することで、食材を保冷できるようになっている。
【００２７】
さらに、内蓋５に外蓋12を被せることで、第一のリブ15は内蓋本体７の縁部７Ａに載置することで、外蓋本体14は第一のリブ15の突出長さＨだけ浮き上がり、保冷剤10の収容スペースの高さを、凹部11の深さに突出長さＨが加わり例えば１０ｍｍ以上の高さを確保するなど収容スペースを広くすることが可能になる。また、外蓋12の側面部12Ａは内蓋５の側面部５Ａに対して遊嵌状態にあるが、第一のリブ15の延長部16が内蓋５の側面部５Ａに線接触に近い状態で当接することで、嵌合強度を常に一定にでき、外蓋12のがたつきをなくすことができる。
【００２８】
このように外蓋12を閉蓋状態で、下段の食品容器１の外蓋12上に上段の食品容器本体２´の底面２Ａを載置する。この際、底面２Ａの四隅の第一の角３を第二のリブ17に嵌合することで、食品容器１の積み重ねを安定させることができる。
【００２９】
そして、使用済みの食品容器本体２、内蓋５、外蓋12を水洗、乾燥する際、外蓋12にあっては複数の第二のリブ17は間隔Ｘ，Ｙを有して配置されているので、水が間隔Ｘ，Ｙを通って外側に排水できることで、外蓋本体14の上面14Ｃ上に水が溜まりにくく水切れが良い。
【００３０】
以上のように、前記実施例では、食品容器本体２と、食品容器本体２に上部開口４に取り付けられる内蓋５と、内蓋５の上側に被せる外蓋12からなり、外蓋12の内側の内蓋５の上面７Ｂと相対する下面14Ｂに第一の突き当て用突起たる第一のリブ15を下向きに突設し、外蓋12は、第一のリブ15を内蓋５の側面部５Ａと相対する位置まで延長形成させた第二の突き当て用突起たる延長部16を有し、この延長部16は外蓋12内側の内蓋５の側面部５Ａと相対する外蓋12の側面部12Ａに形成され、内蓋５の上面７Ｂには、縁部７Ａを残して該内蓋５の中央部側を窪ませた凹部11を形成し、外蓋12の閉蓋状態において、第一のリブ15は縁部７Ａの上面に載置され、延長部16は内蓋５の側面部５Ａに当接することにより、外蓋12に形成された複数、実施例では４箇所の第一のリブ15が内蓋５に突き当たり、外蓋12が内蓋５より離れて配置されることにより、食品容器１内の食材スペースを圧迫することなく、保冷剤10を入れるスペースを確保することができる。また、外蓋12に形成された第一のリブ15を支点として外蓋12を水平に設置でき、十分な保冷剤10スペースを確保できるので、ソフトタイプの保冷剤10がかたよって凍結した場合でも、外蓋12が浮き上がってがたつくことはない。しかも、外蓋12の内側面、すなわち側面部12Ａの内側の第一のリブ15の延長部16が内蓋５の側面部５Ａと相対する位置まで延長形成されているので、外蓋12が多少浮き上がったとしても容易に外れることはない。また、外蓋12の外観に影響を与えることなく第一のリブ15を形成できるので、食品容器１としての美観が損なわれることもない。
【００３１】
また、前記第一のリブ15は、外蓋12の内側の対角、又は対称な位置に配置されていることにより、外蓋12の側面部12Ａ内側の第一のリブ15の延長部16が内蓋５の側面部５Ａに均等に突き当たり、外蓋12がかたよることがないので、内蓋５の上面７Ｂと接触する外蓋12の第一のリブ15が外蓋12の内面全体に形成される必要はなく、最小限の大きさで内蓋５の上面７Ｂと接触させることができる。
【００３２】
さらに、第一のリブ15は、外蓋12に接続される基端側幅Ｍより、内蓋５の上面７Ｂ、内蓋５の側面部５Ａ側に位置する先端側幅Ｎを小さく形成することで、第一のリブ15の内蓋５側への突き当たり状態を線接触のようにすることができるの、がたつきなどをいっそうなくすことができる。
【００３３】
しかも、外蓋12の上面14Ｃには、上段の食品容器本体２´を載置できる第二のリブ17が形成されていることにより、外蓋12が水平に設置でき、がたつかない上に、外蓋12の上面14Ｃに食品容器本体２を載置できる第二のリブ17が形成されているので、食品容器１の積み重ねにおいて垂直方向だけでなく、水平方向にも安定して積み重ねることができる。また、第二のリブ17は複数間隔Ｘ，Ｙをおいて配置されているので、水洗、乾燥のときの水切りが良い。
【実施例２】
【００３４】
以下に、本考案の他の実施例について説明する。尚、前記実施例１と同一部分には同一符号を付し、その詳細な説明を省略する。
【００３５】
図５に示す実施例２においては、食品容器本体102、内蓋105、外蓋112はそれぞれ、平面視で円形なものであって、第一のリブ115を中心軸線108を中心とした円周上に等間隔に３箇所配置されている。また、外蓋112の上面には、上段の食品容器本体の底面が嵌合する平面視で円環状の第二のリブ117が設けられている。第二のリブ117は中心軸線108を中心とした円周上に、複数。実施例では３箇所に等間隔Ｎをおいて形成されている。
【００３６】
したがって、中心軸線108を中心とした円周上に等間隔に３箇所配置されている第一のリブ115により保冷剤10の収容スペースの拡大を図れると共に、第一のリブ115の延長部116によって外蓋112のがたつきを抑えることができ、さらに第二のリブ117によって上段の食品容器本体を安定よく積み重ねることができると共に、第二のリブ117間の間隔Ｚによって、水洗、乾燥時の水きりを良く行うことができる。
【実施例３】
【００３７】
図６に示す実施例３においては、食品容器本体202、内蓋205、外蓋212はそれぞれ、平面視で矩形なものであって、外蓋212内側の内蓋205の上面７Ｂと相対する面の四隅に第一の突き当て用突起215が形成されている。外蓋212の内側の内蓋205の側面部５Ａと相対する面に第二の突き当て用突起216を形成している。第一の突き当て用突起215は、下向きに突設すると共に食品容器の１の中心軸線（図示せず）と長手方向が平行となる柱状、実施例では下端が先細となる裁頭円錐形状であって、この第一の突き当て用突起215から第四の角13に沿って第二の突き当て用突起216がリブ状となって延長している。
【００３８】
また、外蓋212の上面には、上段の食品容器本体の載置用リブ217が形成されている
したがって、この実施例では第一の突き当て用突起215により外蓋212が内蓋205から離れて配置されることにより、食品容器内の食材スペースを圧迫することなく、保冷剤を入れるスペースを確保することができ、さらに第二の突き当て用突起216が内蓋205の側面部５Ａと相対する位置まで延長形成されているので、外蓋212が多少浮き上がったとしても容易に外れることはない。
【００３９】
しかも、第一の突き当て用突起215は下端が先細となる裁頭円錐形状であって、その下端面は円形となっており、このため上面７Ｂとの接触面積を先細なリブに比較して広くでき、この結果、落下時などにおいて外蓋212から内蓋205への衝撃力を和らげることができる。
【産業上の利用可能性】
【００４０】
以上のように本発明に係る食品容器は、各種の用途に適用できる。
【符号の説明】
【００４１】
２  食品容器本体
４  上部開口
５  105  205  内蓋
５Ａ  側面部
７  凹部
７Ａ  縁部
７Ｂ  上面
８  中心軸線
11  凹部
12  112  212  外蓋
12Ａ  側面部
14Ｂ  下面
14Ｃ  上面
15  115  第一のリブ
16  116  延長部
17  第二のリブ（載置用リブ）
108  中心軸線
217  載置用リブ
Ｍ  基端側幅
Ｎ  先端側幅
Ｘ  Ｙ  Ｚ  間隔
【図１】
0005195886.tif 000002
【図２】
0005195886.tif 000003
【図３】
0005195886.tif 000004
【図４】
0005195886.tif 000005
【図５】
0005195886.tif 000006
【図６】
0005195886.tif 000007